(57)【特許請求の範囲】
【請求項１】
表裏両面に熱可塑性樹脂層を積層した板紙基材によって有底の胴部とその上を閉塞する切妻屋根型頂部とが形成され、前記切妻屋根型頂部の切妻屋根面の平面部に、裏面からストロー口となる第１ハーフカットが設けられ、表面から前記第１ハーフカットを囲むように第２ハーフカットが設けられ、前記第２ハーフカットはその剥離の糸口となる下向き略弧状の剥離糸口端部と、この剥離糸口端部の両端から前記頂部と前記胴部の境界の頂部横罫線と直交する方向で上方へ向かって平行に連続して延びる平行直線部とからなる略Ｕ字状の形状になっており、表面から前記剥離糸口端部を起点として前記第２ハーフカットで囲まれた部分を層間剥離させることによって前記ストロー口を開口させる構造の紙容器であって、前記第２ハーフカットは前記平行直線部の開放端の一方が他方より短く設けられ、前記平行直線部の両開放端を結ぶ線と前記平行直線部とのなす角度は２０度以上９０度未満であることを特徴とする紙容器。
【請求項２】
前記平行直線部の両開放端を結ぶ線と前記平行直線部とのなす角度は４５度であることを特徴とする請求項１に記載の紙容器。
【請求項３】
前記第２ハーフカットの剥離糸口端部が存在する前記頂部又は胴部の平面部に、前記第２ハーフカットを横切り又は剥離糸口端部の先端と一致し且つ前記頂部と前記胴部の境界の頂部横罫線の両端又はその近傍に繋がる成形補助折線が設けられていることを特徴とする請求項１または２に記載の紙容器。
【請求項４】
前記第２ハーフカットの剥離糸口端部が存在する前記頂部又は胴部の平面部に、前記第２ハーフカットの左右の剥離糸口端部又はその近傍からそれぞれ延びて、前記頂部と前記胴部の境界の頂部横罫線のそれぞれ対応する一端又はその近傍に繋がる２本の成形補助折線が設けられていることを特徴とする請求項１または２に記載の紙容器。
【発明の詳細な説明】
【技術分野】
【０００１】
本発明は、牛乳やジュース等の液体飲料を収容する紙容器であって、頂部表面に形成されたハーフカットで囲まれた部分を層間剥離するとストロー口が開口するようになっている紙容器に関するものである。
【背景技術】
【０００２】
従来のこの種の紙容器として、図８に示すように、表裏両面に熱可塑性樹脂層を積層した板紙基材によって有底の胴部３とその上を閉塞する頂部４とが形成され、前記頂部４に裏面からストロー口８となる第１ハーフカット９が設けられ、表面から前記第１ハーフカット９を囲むように第２ハーフカット１０が設けられ、前記第２ハーフカット１０はその剥離の糸口となる略弧状の剥離糸口端部１１と、この剥離糸口端部１１の両端から平行に連続して延びる平行直線部１２、１３とからなる略Ｕ字状の形状になっており、表面から前記剥離糸口端部１１を起点として前記第２ハーフカット１０で囲まれた部分を層間剥離させることによって前記ストロー口８を開口させる構造となっているものが知られている（例えば、特許文献１参照。）。
【０００３】
このような構造を持つ紙容器にあって、前記第２ハーフカット１０における剥離糸口端部１１の両端から平行に連続して延びる２本の平行直線部１２、１３は、その長さが等しく、平行直線部１２、１３の両開放端１２ａ、１３ａを結ぶ線Ｌは平行直線部に直交するようになっていた。
【特許文献１】実公昭６０−３４５７２号公報
【発明の開示】
【発明が解決しようとする課題】
【０００４】
しかし、上記する従来の紙容器によれば、前記第２ハーフカット１０における剥離糸口端部１１の両端から平行に連続して延びる平行直線部１２、１３は、その長さが等しく、平行直線部１２、１３の両開放端１２ａ、１３ａを結ぶ線Ｌは平行直線部１２、１３に直交するようになっていたので、前記剥離糸口端部１１を起点として、前記第２ハーフカット１０で囲まれた部分１０ａを、平行直線部１２、１３の両開放端１２ａ、１３ａまで層間剥離させて前記ストロー口８を開口し、ストロー口８にストローを差し込もうとするとき、層間剥離させた前記第２ハーフカット１０で囲まれた部分１０ａはストロー口８の上方に位置することになるため、前記第２ハーフカット１０で囲まれた部分１０ａの存在がストロー口８へのストローの差し込みの妨げとなり、ストローを差し込み難くするおそれがあるといった問題があった。
【０００５】
本発明の目的は、第２ハーフカットで囲まれた部分を層間剥離させて開口させたストロー口に、ストローの差し込みを容易に行えるようにした紙容器を提供することにある。
【課題を解決するための手段】
【０００６】
上記の目的を達成するために請求項１に記載の発明は、表裏両面に熱可塑性樹脂層を積層した板紙基材によって有底の胴部とその上を閉塞する切妻屋根型頂部とが形成され、前記切妻屋根型頂部の切妻屋根面の平面部に、裏面からストロー口となる第１ハーフカットが設けられ、表面から前記第１ハーフカットを囲むように第２ハーフカットが設けられ、前記第２ハーフカットはその剥離の糸口となる下向き略弧状の剥離糸口端部と、この剥離糸口端部の両端から前記頂部と前記胴部の境界の頂部横罫線と直交する方向で上方へ向かって平行に連続して延びる平行直線部とからなる略Ｕ字状の形状になっており、表面から前記剥離糸口端部を起点として前記第２ハーフカットで囲まれた部分を層間剥離させることによって前記ストロー口を開口させる構造の紙容器であって、前記第２ハーフカットは前記平行直線部の開放端の一方が他方より短く設けられ、前記平行直線部の両開放端を結ぶ線と前記平行直線部とのなす角度は２０度以上９０度未満であることを特徴とする。
【０００９】
請求項２に記載の発明は、請求項１に記載の、前記平行直線部の両開放端を結ぶ線と前記平行直線部とのなす角度は４５度であることを特徴とする。
【００１０】
請求項３に記載の発明は、請求項１または２に記載の、前記第２ハーフカットの剥離糸口端部が存在する前記頂部又は胴部の平面部に、前記第２ハーフカットを横切り又は剥離糸口端部の先端と一致し且つ前記頂部と前記胴部の境界の頂部横罫線の両端又はその近傍に繋がる成形補助折線が設けられていることを特徴とする。
【００１１】
請求項４に記載の発明は、請求項１または２に記載の、前記第２ハーフカットの剥離糸口端部が存在する前記頂部又は胴部の平面部に、前記第２ハーフカットの左右の剥離糸口端部又はその近傍からそれぞれ延びて、前記頂部と前記胴部の境界の頂部横罫線のそれぞれ対応する一端又はその近傍に繋がる２本の成形補助折線が設けられていることを特徴とする。
【発明の効果】
【００１２】
請求項１に係る紙容器によれば、前記第２ハーフカットは前記平行直線部の開放端の一方が他方より短く設けられているので、前記剥離糸口端部を起点として前記第２ハーフカットで囲まれた部分を、２本の平行直線部の両開放端まで層間剥離させて前記ストロー口を開口し、前記第２ハーフカットで囲まれた部分を２本の平行直線部の両開放端を結ぶ線で折り返したとき、層間剥離させた前記第２ハーフカットで囲まれた部分の折り返し部位が前記平行直線部に対して傾斜状態になるため、層間剥離させた前記第２ハーフカットで囲まれた部分はストロー口の上方から逸れて位置することになるので、層間剥離させた前記第２ハーフカットで囲まれた部分の存在がストロー口へのストローの差し込みの妨げとならず、ストロー口に対するストローの差し込みを容易に行うことができる。
また、前記平行直線部の両開放端を結ぶ線と前記平行直線部とのなす角度は２０度以上９０度未満であるので、前記剥離糸口端部を起点として前記第２ハーフカットで囲まれた部分を層間剥離させるに際し、前記第２ハーフカットで囲まれた部分を２本の平行直線部の両開放端まで無理なく層間剥離させることができるとともに、前記第２ハーフカットで囲まれた部分を２本の平行直線部の両開放端を結ぶ線で折り返したとき、層間剥離させた前記第２ハーフカットで囲まれた部分をストロー口の上方から逸れて位置させることができる。
【００１５】
請求項２に記載の発明によれば、請求項１に記載の、前記平行直線部の両開放端を結ぶ線と前記平行直線部とのなす角度は４５度であるので、前記剥離糸口端部を起点として前記第２ハーフカットで囲まれた部分を層間剥離させるに際し、前記第２ハーフカットで囲まれた部分を２本の平行直線部の両開放端まで無理なく容易に層間剥離させることができるとともに、前記第２ハーフカットで囲まれた部分を２本の平行直線部の両開放端を結ぶ線で折り返したとき、層間剥離させた前記第２ハーフカットで囲まれた部分をストロー口の上方から確実に逸れて位置させることができる。
【００１６】
請求項３に記載の発明によれば、請求項１または２に記載の、前記第２ハーフカットの剥離糸口端部が存在する前記頂部又は胴部の平面部に、前記第２ハーフカットを横切り又は剥離糸口端部の先端と一致し且つ前記頂部と前記胴部の境界の頂部横罫線の両端又はその近傍に繋がる成形補助折線が設けられているので、ストロー口の開口に際し、前記頂部横罫線を押し下げると、山折り状態にあった前記頂部横罫線が谷折り状態となって凹み、前記平面部が成形補助折線で山折り状態となって突出し、前記平面部に設けられている前記第２ハーフカットの剥離の糸口となる剥離糸口端部で囲まれた部分の先端が層間剥離して浮き上がるので、剥離糸口端部で囲まれた部分が掴み易くなり、前記第２ハーフカットで囲まれた部分を容易に層間剥離することができることになり、ストロー口の開口を容易に行うことができる。
【００１７】
請求項４に記載の発明は、請求項１または２に記載の、前記第２ハーフカットの剥離糸口端部が存在する前記頂部又は胴部の平面部に、前記第２ハーフカットの左右の剥離糸口端部又はその近傍からそれぞれ延びて、前記頂部と前記胴部の境界の頂部横罫線のそれぞれ対応する一端又はその近傍に繋がる２本の成形補助折線が設けられているので、ストロー口の開口に際し、前記頂部横罫線を押し下げると、山折り状態にあった前記頂部横罫線が谷折り状態となって凹み、前記平面部が成形補助折線で山折り状態となって突出し、前記平面部に設けられている前記第２ハーフカットの剥離の糸口となる剥離糸口端部の先端が層間剥離して浮き上がるので、剥離糸口端部で囲まれた部分が掴み易くなり、前記第２ハーフカットで囲まれた部分を容易に層間剥離することができることになり、ストロー口の開口を容易に行うことができる。
【発明を実施するための最良の形態】
【００１８】
以下、本発明に係る紙容器を実施するための最良の形態を、図面を参照して詳細に説明する。
【００１９】
図１及び図２は本発明に係る紙容器の第１実施例を示したもので、図１は第１実施例の紙容器の斜視図、図２はストロー口を開口した状態を示す第１実施例の紙容器の斜視図である。
【００２０】
本例は、本発明をゲーブルトップ紙容器１Ａに実施した実施例であり、図１に示すように、表裏両面に熱可塑性樹脂層を積層した板紙基材によって形成されたものであって、４つの平面部２の隣接部が直角につながった構造の有底の胴部３の上部を切妻屋根型の頂部４で閉塞した構成となっている。切妻屋根型の頂部４は、切妻屋根面５とその両端を閉塞する妻壁６とによって構成されている。
【００２１】
本例では、切妻屋根面５の平面部７に、その裏面からストロー口８となる第１ハーフカット９が設けられ、表面から第１ハーフカット９を囲むように第２ハーフカット１０が設けられている。
【００２２】
第２ハーフカット１０はその剥離の糸口となる略弧状の剥離糸口端部１１と、この剥離糸口端部１１の両端から平行に連続して延びる平行直線部１２、１３とからなる略Ｕ字状の形状になっており、表面から剥離糸口端部１１を起点として第２ハーフカット１０で囲まれた部分１０ａを層間剥離させることによって前記ストロー口８を開口させる構造となっている。また、略弧状の剥離糸口端部１１にあっては、本例では円弧状となっているが、これに限定されるものではなく、図示しないが、剥離糸口端部１１の先端１１ａを頂点とした三角形状になっていてもよく、台形状になっていてもよく、多角形状になっていてもよい。
【００２３】
略Ｕ字状の形状となっている第２ハーフカット１０の２本の平行直線部１２、１３は、いずれかの開放端の一方が他方より短く設けられている。本例では、平行直線部１３の開放端１３ａが平行直線部１２の開放端１２ａより短く設けられている。
【００２４】
平行直線部１２、１３の両開放端１２ａ、１３ａを結ぶ線Ｌと平行直線部１２、１３とのなす角度θにあっては特に限定されないが、角度θは２０度以上９０度未満が好ましく、特に４５度であることが好ましい。この角度θが小さいと、後述する第２ハーフカット１０で囲まれた部分１０ａを平行直線部１２、１３の両開放端１２ａ、１３ａまで層間剥離させ折り返したとき、第２ハーフカット１０で囲まれた部分１０ａの折り返し方向とストロー口８の開口位置に大きな角度差ができ、第２ハーフカット１０で囲まれた部分１０ａがストロー口８の上方から大きく逸れて位置することになるので、層間剥離した第２ハーフカット１０で囲まれた部分１０ａの存在がストロー口８へのストローの差し込みの妨げとならず、ストロー口８に対するストローの差し込みをより容易に行うことができるものとなるが、第２ハーフカット１０で囲まれた部分１０ａを平行直線部１２、１３の開放端１２ａ、１３ａまで層間剥離させることに難が生じることになる。また、この角度θが大きいと、第２ハーフカット１０で囲まれた部分１０ａを平行直線部１２、１３の両開放端１２ａ、１３ａまで容易に層間剥離させるものとなるが、第２ハーフカット１０で囲まれた部分１０ａを平行直線部１２、１３の両開放端１２ａ、１３ａまで層間剥離させ折り返したとき、第２ハーフカット１０で囲まれた部分１０ａの折り返し方向とストロー口８の開口位置の角度差が小さく、第２ハーフカット１０で囲まれた部分１０ａがストロー口８の上方からあまり逸れずに位置することになるので、ストロー口８に対してストローを差し込むときの容易性が減ずるものとなる。
【００２５】
このような構造のゲーブルトップ紙容器１Ａによれば、略Ｕ字状の形状となっている第２ハーフカット１０の平行直線部１２、１３は、平行直線部１３の開放端１３ａが平行直線部１２の開放端１２ａより短く設けられているので、剥離糸口端部１１を起点として、第２ハーフカット１０で囲まれた部分１０ａを、平行直線部１２、１３の両開放端１２ａ、１３ａまで層間剥離させてストロー口８を開口し、第２ハーフカット１０で囲まれた部分１０ａを平行直線部１２、１３の両開放端１２ａ、１３ａを結ぶ線Ｌで折り返したとき、層間剥離させた第２ハーフカット１０で囲まれた部分１０ａの折り返し部位１６が平行直線部１２、１３に対して傾斜状態になるため（図２）、層間剥離させた第２ハーフカット１０で囲まれた部分１０ａはストロー口８の上方から逸れて位置することになり、層間剥離した第２ハーフカット１０で囲まれた部分１０ａの存在がストロー口８へのストローの差し込みの妨げとならず、ストロー口８に対するストローの差し込みを容易に行える。
【００２６】
本例では、平行直線部１２、１３の両開放端１２ａ、１３ａを結ぶ線Ｌと平行直線部１２、１３とのなす角度θが４５度となっているので、剥離糸口端部１１を起点として第２ハーフカット１０で囲まれた部分１０ａを層間剥離させるに際し、第２ハーフカット１０で囲まれた部分１０ａを平行直線部１２、１３の両開放端１２ａ，１３ａまで無理なく容易に層間剥離させることができるとともに、前記第２ハーフカット１０で囲まれた部分１０ａの折り返し部位１６を平行直線部１２、１３の両開放端１２ａ、１３ａを結ぶ線Ｌで折り返したとき、層間剥離させた第２ハーフカット１０で囲まれた部分１０ａをストロー口８の上方から確実に逸れて位置させることができる。
【００２７】
図３乃至図５は本発明に係る紙容器の第２実施例を示したもので、図３は第２実施例の紙容器の斜視図、図４は第２実施例の紙容器の頂部横罫線に下向きの押圧力を加えることにより変形した第２実施例の紙容器の斜視図、図５はストロー口を開口した状態を示す第２実施例の紙容器の斜視図である。なお、前述した第１実施例と対応する部分には、同一符号を付けて示している。
【００２８】
本例も、本発明をゲーブルトップ紙容器１Ａに実施した実施例であり、本例のゲーブルトップ紙容器１Ａも、第１実施例と同様に、切妻屋根面５の平面部７に、その裏面からストロー口８となる第１ハーフカット９が設けられ、表面から第１ハーフカット９を囲むように第２ハーフカット１０が設けられている。
【００２９】
第２ハーフカット１０も、第１実施例と同様に、剥離の糸口となる略円弧状の剥離糸口端部１１と、この剥離糸口端部１１の両端から平行に連続して延びる平行直線部１２、１３とからなる略Ｕ字状の形状になっており、第２ハーフカット１０の平行直線部１２、１３にあっては、平行直線部１３の開放端１３ａが平行直線部１２の開放端１２ａより短く設けられている。
【００３０】
また、本例のゲーブルトップ紙容器１Ａは、本例では、切妻屋根面５の平面部７に、第２ハーフカット１０との間に僅かの隙間Ｓを空けた状態で第２ハーフカット１０の左右の剥離糸口端部１１の近傍からそれぞれ延びて、頂部横罫線１４のそれぞれ対応する一端に繋がる成形補助折線１５ａ、１５ｂが設けられている。なお、成形補助折線１５ａ、１５ｂにあっては本例に限られるものではなく、図示しないが、頂部横罫線１４のそれぞれ対応する一端の近傍に繋がるようになっていてもよく、また、第２ハーフカット１０の左右の剥離糸口端部１１からそれぞれ延びて、頂部横罫線１４のそれぞれ対応する一端又はその近傍に繋がるようになっていてもよい。
【００３１】
その他の構成は、第１実施例と同様なので第１実施例の説明を援用する。
【００３２】
このような構造のゲーブルトップ紙容器１Ａによれば、前記第１実施例と同様の効果を得ることができ、さらに、本例では第２ハーフカット１０の剥離糸口端部１１が存在する切妻屋根面５の平面部７に、第２ハーフカット１０との間に僅かの隙間Ｓを空けた状態で第２ハーフカット１０の左右の剥離糸口端部１１の近傍からそれぞれ延びて、頂部横罫線１４のそれぞれ対応する一端に繋がる成形補助折線１５ａ、１５ｂが設けられているので、ストロー口８の開口に際し、頂部横罫線１４を押し下げると、山折り状態にあった頂部横罫線１４が谷折り状態となって凹み、平面部７が成形補助折線１５ａ、１５ｂで山折り状態となって突出し、平面部７に設けられている第２ハーフカット１０の剥離の糸口となる剥離糸口端部１１で囲まれた部分の先端１１ａが層間剥離して浮き上がるので（図４）、剥離糸口端部１１で囲まれた部分が掴み易くなり、第２ハーフカット１０で囲まれた部分１０ａを容易に層間剥離することができることになる。
【００３３】
図６は本発明に係る紙容器の第３実施例を示した斜視図である。なお、前述した第１実施例と対応する部分には、同一符号を付けて示している。
【００３４】
本例も、本発明をゲーブルトップ紙容器１Ａに実施した実施例であり、本例のゲーブルトップ紙容器１Ａも、第１実施例と同様に、切妻屋根面５の平面部７に、その裏面からストロー口８となる第１ハーフカット９が設けられ、表面から第１ハーフカット９を囲むように第２ハーフカット１０が設けられている。
【００３５】
この第２ハーフカット１０も、第１実施例と同様に、剥離の糸口となる略円弧状の剥離糸口端部１１と、この剥離糸口端部１１の両端から平行に連続して延びる平行直線部１２、１３とからなる略Ｕ字状の形状になっており、第２ハーフカット１０の平行直線部１２、１３にあっては、平行直線部１３の開放端１３ａが平行直線部１２の開放端１２ａより短く設けられている。
【００３６】
本例では、第２ハーフカット１０は、その剥離の糸口となる剥離糸口端部１１が、切妻屋根面５の平面部７と胴部３の境界の頂部横罫線１４を越えて胴部３の平面部２に渡って下向きに延びて設けられている。頂部横罫線１４と交わる部分からその先端までの第２ハーフカット１０の長さは、特に限定されないが５〜５０ｍｍであることが好ましい。
【００３７】
また、本例では、第２ハーフカット１０の剥離糸口端部１１が存在する胴部３の平面部２に、第２ハーフカット１０を横切り且つ頂部横罫線１４の両端に繋がる成形補助折線１５が設けられている。成形補助折線１５にあっては本例に限られるものではなく、図示しないが、頂部横罫線１４の両端の近傍に繋がるようになっていてもよく、また、第２ハーフカット１０の剥離糸口端部１１の先端１１ａと一致し且つ頂部横罫線１４の両端又はその近傍に繋がるようになっていてもよい。また、成形補助折線１５は、本例では円弧形となっているが、これに限定されない。
【００３８】
その他の構成は、第１実施例と同様なので第１実施例の説明を援用する。
【００３９】
このような構造のゲーブルトップ紙容器１Ａによれば、前記第１実施例及び第２実施例と同様の効果を得ることができ、さらに、本例では、第２ハーフカット１０は、剥離糸口端部１１が切妻屋根面５の平面部７と胴部３の境界の頂部横罫線１４を越え胴部３の平面部２に渡って下向きに設けられているので、多段積での輸送中、切妻屋根面５が上方に積まれたゲーブルトップ紙容器１Ａの底部による衝撃を受けても第２ハーフカット１０の剥離糸口端部１１が損傷するおそれがなく、また輸送中の振動で隣のゲーブルトップ紙容器１Ａに当たっても、剥離糸口端部１１の先端１１ａに剥離方向の力が加わらず、第２ハーフカット１０は剥離糸口端部１１で囲まれた部分１１ａが層間剥離するおそれがないといった効果が得られる。
【００４０】
図７はストロー口を開口させる構造となっている紙容器の参考例を示した斜視図である。なお、前述した第１実施例と対応する部分には、同一符号を付けて示している。
【００４１】
本例は、本発明を平らな屋根をもつフラットトップ紙容器１Ｂに実施した実施例であり、図７に示すように、表裏両面に熱可塑性樹脂層を積層した板紙基材によって形成されたものであって、４つの平面部２の隣接部が直角につながった構造の有底の胴部３とその上を閉塞するフラット屋根の頂部４とで形成された構造になっている。
【００４２】
本例も、第１実施例と同様に、頂部４の平面部１７に、その裏面からストロー口８となる第１ハーフカット９が設けられ、表面から第１ハーフカット９を囲むように第２ハーフカット１０が設けられている。
【００４３】
この第２ハーフカット１０も、第１実施例と同様に、剥離の糸口となる剥離糸口端部１１と、この剥離糸口端部１１の両端から平行に連続して延びる平行直線部１２、１３とからなる略Ｕ字状の形状になっており、第２ハーフカット１０の平行直線部１２、１３にあっては、平行直線部１３の開放端１３ａが平行直線部１２の開放端１２ａより短く設けられている。
【００４４】
また、本例では、第２ハーフカット１０は、その剥離の糸口となる略円弧状の剥離糸口端部１１が頂部４と胴部３の境界の頂部横罫線１４と第１ハーフカット９との間に設けられている。そして、頂部４には、第２ハーフカット１０との間に僅かの隙間Ｓを空けた状態で第２ハーフカット１０の左右の剥離糸口端部１１の近傍からそれぞれ延びて、頂部横罫線１４のそれぞれ対応する一端に繋がる成形補助折線１５ａ、１５ｂが設けられている。
【００４５】
その他の構成は、第１実施例と同様なので第１実施例の説明を援用する。
【図面の簡単な説明】
【００４７】
【図１】本発明に係る紙容器の第１実施例を示す斜視図である。
【図２】ストロー口を開口した状態を示す第１実施例の紙容器の斜視図である。
【図３】本発明に係る紙容器の第２実施例を示す斜視図である。
【図４】第２実施例の紙容器の頂部横罫線に下向きの押圧力を加えることにより変形した状態を示す斜視図である。
【図５】ストロー口を開口した状態を示す第２実施例の紙容器の斜視図である。
【図６】本発明に係る紙容器の第３実施例を示す斜視図である。
【図７】ストロー口を開口させる構造となっている紙容器の参考例を示す斜視図である。
【図８】従来の紙容器を示す斜視図である。
【符号の説明】
【００４８】
１Ａ  ゲーブルトップ紙容器
１Ｂ  フラットトップ紙容器
２  平面部
３  胴部
４  頂部
５  切妻屋根面
６  妻壁
７  平面部
８  ストロー口
９  第１ハーフカット
１０  第２ハーフカット
１０ａ  第２ハーフカットで囲まれた部分
１１  剥離糸口端部
１１ａ  先端
１２、１３  平行直線部
１２ａ、１３ａ  開放端
１４  頂部横罫線
１５，１５ａ，１５ｂ  成形補助折線
１６  折り返し部位
１７  平面部
【図１】
0004999092.tif 000002
【図２】
0004999092.tif 000003
【図３】
0004999092.tif 000004
【図４】
0004999092.tif 000005
【図５】
0004999092.tif 000006
【図６】
0004999092.tif 000007
【図７】
0004999092.tif 000008
【図８】
0004999092.tif 000009